(57)【要約】【課題】光源によって出力される光を使用する効率を改善するために、フォトルミネセンス材料を使用する表示装置。【解決手段】第１の波長の光を出力するように構成された光源を含む表示装置。表示装置は、第１の表示素子および第２の表示素子を含む複数の表示素子を有する。第１の表示素子と関連付けられた第１のフォトルミネセンス材料は、第１の基板の第１の面に配置されており、第２の表示素子と関連付けられた第２のフォトルミネセンス材料は、第１の基板の第２の面に配置されている。【選択図】図２
2019148795.tif 000002
【特許請求の範囲】
【請求項１】
第１の波長の光を出力するように構成された光源と、
第１の表示素子および第２の表示素子を含む複数の表示素子と、
第１の面および第２の面を有し、前記第２の面は前記第１の面よりも前記光源に近い、第１の基板と、
前記第１の表示素子と関連付けられ、前記第１の基板の前記第１の面に配置された第１のフォトルミネセンス材料と、
前記第２の表示素子と関連付けられ、前記第１の基板の前記第２の面に配置された第２のフォトルミネセンス材料とを含む表示装置。
【請求項２】
前記第１のフォトルミネセンス材料および前記第２のフォトルミネセンス材料は、互いに実質的に重ならない、請求項１に記載の表示装置。
【請求項３】
前記第１のフォトルミネセンス材料は前記第１の基板の前記第１の面と接触し、前記表示装置は第２の基板を含み、前記第２のフォトルミネセンス材料は前記第２の基板と接触し、前記第２の基板と前記第１の基板との間に配置される、請求項１または２に記載の表示装置。
【請求項４】
前記第１の基板は、前記第１の波長の光に対して実質的に透過性である、請求項１から３のいずれか一項に記載の表示装置。
【請求項５】
前記複数の表示素子は、第３の表示素子を含み、
前記第１の表示素子は、前記第１の基板の第１の部分と関連付けられており、
前記第２の表示素子は、前記第１の基板の第２の部分と関連付けられており、
前記第３の表示素子は、前記第１の基板の第３の部分と関連付けられている、請求項１から４のいずれか一項に記載の表示装置。
【請求項６】
前記第３の表示素子は、フォトルミネセンス材料の欠如を含む、請求項５に記載の表示装置。
【請求項７】
前記第１の表示素子は、前記第１の基板の前記第２の面においてフォトルミネセンス材料の欠如を含み、
前記第２の表示素子は、前記第１の基板の前記第１の面においてフォトルミネセンス材料の欠如を含む、請求項１から６のいずれか一項に記載の表示装置。
【請求項８】
前記第１のフォトルミネセンス材料は、前記第１の波長の光の受光に応答して第２の波長の光を出力し、
前記第２のフォトルミネセンス材料は、前記第１の波長の光の受光に応答して第３の波長の光を出力する、請求項１から７のいずれか一項に記載の表示装置。
【請求項９】
前記第１の波長の光は青色光であり、前記第２の波長の光は緑色光であり、前記第３の波長の光は赤色光である、請求項８に記載の表示装置。
【請求項１０】
前記第１の基板は、前記第２の波長の光に対して実質的に透過性である、請求項８または９に記載の表示装置。
【請求項１１】
前記光源は、前記第１の表示素子と関連付けられた第１の光源であり、前記表示装置は、前記第２の表示素子と関連付けられた第２の光源を含む、請求項１から１０のいずれか一項に記載の表示装置。
【請求項１２】
前記第２の光源は、前記第１の波長の光または前記第１の波長とは異なる波長の光を出力するように構成されている、請求項１１に記載の表示装置。
【請求項１３】
複数の光バルブを含み、前記第１の表示素子は第１の光バルブを含み、前記第２の表示素子は第２の光バルブを含み、前記第１の基板は前記第２のフォトルミネセンス材料と前記第２の光バルブとの間に部分的に配置されている、請求項１から１２のいずれか一項に記載の表示装置。
【請求項１４】
請求項１から１３のいずれか一項に記載の表示装置と、
少なくとも１つのプロセッサと、
コンピュータプログラム命令を含む少なくとも１つのメモリであって、前記少なくとも１つのメモリおよび前記コンピュータプログラム命令は、少なくとも１つのプロセッサとともに、前記光源によって出力される前記第１の波長の光の量を制御するように動作可能である、少なくとも１つのメモリとを含む装置。
【請求項１５】
請求項１３に従属するときに、
前記少なくとも１つのメモリおよび前記コンピュータプログラム命令は、少なくとも１つのプロセッサとともに、
前記第１のフォトルミネセンス材料によって出力される光に対する前記第１の光バルブの透過率を制御し、
前記第２のフォトルミネセンス材料によって出力される光に対する前記第２の光バルブの透過率を制御するように動作可能である、請求項１４に記載の装置。
【発明の詳細な説明】
【背景技術】
【０００１】
いわゆる液晶ディスプレイ（ＬＣＤ）は、バックライトを使用することが知られている。サブピクセルの明るさは、例えば、液晶材料の配向を選択することによって制御することができ、これは次にバックライトからの光に対する液晶材料の透過率を決定する。
【０００２】
赤色、緑色および青色のサブピクセルを有するピクセルでは、各サブピクセルは対応するカラーフィルタ、例えば赤色、緑色および青色カラーフィルタを有することができる。しかしながら、各サブピクセルに対して、この手法は、バックライトにより出力された光とカラーフィルタから出力された光との間の光の著しい損失をもたらし得る。
【０００３】
光を出力するために、場合によってはバックライトと組み合わせて、表示装置において発光材料を使用することが知られている。互いに互換性があって、必要なサブピクセルの色も出力する異なる発光材料の慎重な選択を必要とするそのような表示装置は、設計および製造においてしばしば複雑である。
【０００４】
表示装置を単純化することが望ましい。
【図面の簡単な説明】
【０００５】
【図１】実施例による複数の表示素子の平面図を概略的に示している。
【図２】３つの表示素子の断面を概略的に示している。
【図３】実施例による第１のフォトルミネセンス材料のパターンの平面図を概略的に示している。
【図４】実施例による第２のフォトルミネセンス材料のパターンの平面図を概略的に示している。
【図５】更なる実施例による３つの表示素子の断面図を示している。
【図６】さらに別の実施例による３つの表示素子の断面図を示している。
【図７】実施例による液晶を用いた３つの光バルブの断面図を示している。
【図８】実施例による表示装置を使用し得る装置を概略的に示している。
【発明を実施するための形態】
【０００６】
本明細書では、光源によって出力される光を使用する効率を改善するために、フォトルミネセンス材料を使用する表示装置の実施例が説明されている。異なるフォトルミネセンス材料を１つ以上の異なる表示素子に使用してもよく、いくつかの実施例では、同じ光源が各表示素子に対して使用される。これは、非フォトルミネセンスカラーフィルタを使用する既知のシステムと比較して、光源によって出力される光を使用する効率を改善する。
【０００７】
実施例では、互換性のあるフォトルミネセンス材料の慎重な選択を要求し得る１つ以上の表示素子に対して互いに頂部上に積層される２つ以上のフォトルミネセンス層を使用するよりもむしろ、各表示素子は、その表示素子によって出力されることを要求する光の色に従って選択された異なるフォトルミネセンス材料を有し得る。これは、フォトルミネセンス材料を使用することによって改善された光効率から依然として利益を得ることができる一方で、所望の表示色域で表示装置を設計するための設計自由度を改善する。
【０００８】
さらなる実施例では、それぞれ異なるフォトルミネセンス材料を異なる基板上でパターニングすることができる。例えば、第１のフォトルミネセンス材料は第１の基板上でパターニングされてもよく、第２のフォトルミネセンス材料は第２の基板上でパターニングされてもよく、いくつかの実施例では、第３のフォトルミネセンス材料は第３の基板上でパターニングされてもよい。これらの基板は、各表示素子に要求される色を出力するための構造を与えるように積層することができる。既知のシステムと比較して、この技術は、その上にパターン化されたフォトルミネセンス材料を有する異なる基板を表示装置の種類および要求する色域に従って単純に選択して積層することができるので、この技術は、表示装置の色出力の設計および製造のために用途が広く簡単なアプローチを提供する。複数の基板が必要とされるが、このアプローチは、異なるフォトルミネセンス材料が同じ基板上に堆積される装置と比較してより単純であり、これは全ての異なるフォトルミネセンス材料と両立する、より特殊で複雑な製造技術を必要とすることができる。
【０００９】
詳細な実施例が、図面を参照して説明される。
【００１０】
そのような実施例では、１つ以上のフォトルミネセンス材料が言及される。フォトルミネセンス材料は、入力光の受光に応答して発光する材料である。従って、そのような材料は、光子の形態での入力エネルギーの吸収に応答して、材料が励起状態に変化し、次いで、光子が出力されることになる低励起状態に緩和するので、光励起可能であると考えてもよい。例えば、そのような材料は、所与の１つまたは複数の波長の光を受け入れてもよく、それに応答して異なる１つまたは複数の波長の光を出力してもよい。多くの場合、入力光は出力光より短い波長である。出力光は入力光とは異なる波長のものであるため、フォトルミネセンス材料は、いわゆる色変換材料と見なしてもよい。
【００１１】
そのような実施例では、複数の表示素子を有する表示装置が言及される。表示素子は、例えば、所与の色の光を選択された輝度で出力するための、独立して制御可能な要素である。通常、規則的に並べる方法、例えば当業者に理解されるように、列と行のマトリクスとして配置され得る複数の表示素子がある。各表示素子を制御することにより、画像が、観察者に知覚させるために複数の表示素子によって出力され得る。いくつかの実施例では、表示装置が白黒画像を出力するためのものである場合、各表示素子は画素と見なすことができる。他の実施例では、表示装置がいわゆるフルカラー画像を出力するためのものである場合、各表示素子は副画素と見なすことができる。表示素子は、異なる色の副画素のグループが、画素の各副画素の色および輝度出力を適切に制御しながら一緒に画素として作動することができ、その結果、画素が所与の色の光を選択された輝度で出力するように配置される。
【００１２】
図１は、本明細書で説明する様々な実施例による表示装置の表示素子２のアレイ１を平面図で概略的に示している。各表示素子は、それぞれＲ、Ｇ、Ｂラベルで示されるように、赤色、緑色または青色の光を出力するためのものである。示された表示素子の行および列の数は任意であり、さらなる実施例は、場合によっては行および列のマトリクスとは異なるように配置された、より多いまたはより少ない表示素子が想定されることを理解されたい。
【００１３】
図２は、破線のボックスで示された図１の３つの表示素子の断面を概略的に示している。断面は、図１に示された平面Ａ−Ａ’に沿ってとられている。第１の表示素子２Ａ、第２の表示素子２Ｂ、および第３の表示素子２Ｃの横方向範囲は、括弧および破線で示されている。
【００１４】
図２の例では、光源６がある。光源は、第１の波長、例えば第１の波長範囲の光を出力するように構成されている。当業者には理解されるように、光は、発光ダイオード（ＬＥＤ）または他の電気的に制御された光発生器によって発生されてもよい。これらの実施例では、光源は、表示装置の観察側８から離れた位置に起因して、バックライトと見なしてもよく、光を観察側に向けるように適切に光学的に構成されてもよい。他の実施例では、光源からの光を観察側に向け直すように構成された光ガイドを用いて、光源を表示素子のアレイの縁に沿って配置してもよい。
【００１５】
第１の面１２および第２の面１４を有する第１の基板１０がある。第２の面は、第２の面に対して第１の基板の反対側の面である第１の面よりも光源に近い。基板は、典型的には支持要素、例えばプレートまたは層であり、その上で装置の一部に対して構造的な支持を与えることができる。
【００１６】
第１のフォトルミネセンス材料１６は、第１の表示素子２Ａと関連付けられており、第１の基板の第１の面に配置されている。第１の表示素子と関連付けられることにより、第１のフォトルミネセンス材料は、破線で示されるように、例えば許容できる製造公差および作動公差内で、少なくとも実質的に第１の表示素子の横方向範囲内にある。例えば、第１のフォトルミネセンス材料は、隣接する表示素子の作動に十分に悪影響を及ぼさないように、隣接する表示素子の横方向範囲内で十分に侵入しなくてもよい。各表示素子が個別の光バルブまたは光源を含む実施例では、第１の表示素子と関連付けられた第１のフォトルミネセンス材料は、光バルブまたは光源と実質的に重なり、それにより第１のフォトルミネセンス材料の横方向範囲が許容できる製造公差および作動公差内で光バルブまたは光源の横方向範囲と整列される。
【００１７】
第１のフォトルミネセンス材料は、これらの実施例では、実質的に均一な厚さ、例えば許容できる製造公差内の均一な厚さで第１のフォトルミネセンス材料を含む層である。他の実施例では、そのような層の代わりに、第１のフォトルミネセンス材料は小滴のパターンまたは他の部分として設けられてもよい。
【００１８】
基板の第１の面に配置された第１のフォトルミネセンス材料では、第１のフォトルミネセンス材料は第２の面１４よりも第１の面１２に近い。示された実施例のように、第１のフォトルミネセンス材料は第１の面１２と接触する。他の実施例では、第１の基板と第１のフォトルミネセンス材料との間で、表示装置の層のスタックにおいて別の機能層などの少なくとも１つのさらなる構造が存在してもよいことが想定される。いずれの場合も、第１のフォトルミネセンス材料は、第１の基板上に位置すると考えることができる。
【００１９】
第２のフォトルミネセンス材料１８は、第２の表示素子２Ｂと関連付けられており、第１の基板の第２の面に配置されている。第１のフォトルミネセンス材料が上述の第１の表示素子と関連付けられているという説明は、第２のフォトルミネセンス材料が第２の表示素子と関連付けられていることにも同様に当てはまる。
【００２０】
これらの実施例における第２のフォトルミネセンス材料１８は、第１のフォトルミネセンス材料について上で説明したものと同様に、実質的に均一な厚さで第２のフォトルミネセンス材料を含む層である。他の実施例では、第２のフォトルミネセンス材料は、代わりに、例えば第２のフォトルミネセンス材料の小滴のパターンまたは他の部分であってもよい。
【００２１】
第１の基板の第２の面に配置された第２のフォトルミネセンス材料１８では、第２のフォトルミネセンス材料は第１の面１２よりも第１の基板の第２の面１４により近く配置される。第１のフォトルミネセンス材料について上で説明したのと同様に、示された実施例では、第２のフォトルミネセンス材料は、第２の面と接触しているが、他の実施例では第２のフォトルミネセンス材料と第１の基板との間に別の構造があってもよい。
【００２２】
図２を用いて説明したもののような実施例では、第１のフォトルミネセンス材料および第２のフォトルミネセンス材料は互いに実質的に重ならないと考えてもよい。このように、隣接する表示素子である第１および第２の表示素子で、それらの間に別の表示素子がない場合、第１のフォトルミネセンス材料および第２のフォトルミネセンス材料は重ならず、例えば一方が他方を部分的にまたは完全に被覆せず、その結果、フォトルミネセンス材料の一方（この場合、第２のフォトルミネセンス材料）によって出力された光は、表示素子のいずれかの作動に悪影響を及ぼす程度まで、フォトルミネセンス材料の他方（この場合、第１のフォトルミネセンス材料）によって遮断または制限されることはない。いくつかの実施例では、第１のフォトルミネセンス材料および第２のフォトルミネセンス材料の横方向範囲は、それらのそれぞれの表示素子の横方向範囲と許容できる公差内で整列され得る。
【００２３】
表示装置は、上述したように、第２のフォトルミネセンス材料と光源との間に如何なる追加の基板なしに、第１の面１２上に第１のフォトルミネセンス材料および第２の面１４上に第２のフォトルミネセンス材料を有する第１の基板を備え得ることが想定される。しかしながら、他の実施例では、図２で示すように、第２のフォトルミネセンス材料が配置されている第２の基板２０がある。第２の基板は、第１の基板と構造および組成が類似していてもよい。
【００２４】
第１および第２の表示素子のいずれかまたは各々について、第１の基板の一面および／または第２の基板の一面上にフォトルミネセンス材料が欠如していてもよい。例えば、図２に示されるように、第１の表示素子に対して、第１の基板と第２の基板との間にフォトルミネセンス材料の欠如があり、第２の表示素子に対して、第１の基板の第１の面にフォトルミネセンス材料の欠如がある。従って、第１の表示素子は第１の基板の第２の面にフォトルミネセンス材料の欠如を含み、および／または第２の表示素子は第１の基板の第１の面にフォトルミネセンス材料の欠如を含む。フォトルミネセンス材料の欠如がある、例えばフォトルミネセンス材料が存在しない、またはフォトルミネセンス材料がないそのような領域において、空気などの気体、または固体材料、例えば適当な表示素子の光源またはフォトルミネセンス材料のいずれかによって出力される光に対して透過性である充填材料の層または他のパターンがあってもよい。例えば、第１の表示素子２Ａに対して、光源によって出力された光に対して透過性である透過性材料２２があってもよい。第２の表示素子２Ｂに対して、第２のフォトルミネセンス材料によって出力された光に対して透過性である透過性材料２４があってもよい。
【００２５】
例えば、それらの間に表示素子なしで第１の表示素子に隣接しており、且つ図２を用いて説明した実施例による第３の表示素子２Ｃに対して、光源と観察面８との間にフォトルミネセンス材料はない。言い換えれば、第３の表示素子は、許容可能な製造誤差に起因した隣接する表示素子からの起こり得るいくつかのフォトルミネセンス材料以外にはフォトルミネセンス材料を実質的に含まず、これは第３の表示素子の性能に十分な悪影響を及ぼさない。そのような実施例では、光源６によって出力される光は、第３の表示素子によって出力すべき光に適している。
【００２６】
フォトルミネセンス材料のそのような欠如のある第３の表示素子に対して、上述した第１および第２の表示素子と類似の手法で、光源によって出力された光に対して気体または（例えば固体の）透過性材料２５があってもよい。理解されるように、隣接する表示素子に対してフォトルミネセンス材料のそのような欠如がある場合、隣接する表示素子間、例えば図２に示したような第１および第３の表示素子に対して、気体または透過性材料が第１の基板と第２基板との間に延在してもよい。
【００２７】
図２で説明したものなどの実施例では、第１の基板および第２の基板は、複数の表示素子、例えばアレイの全ての表示素子にわたって延在している。従って、図２に示したように、第１の表示素子は第１の基板の第１の部分と関連付けられており、第２の表示素子は第１の基板の第２の部分と関連付けられており、第３の表示素子は第１の基板の第３の部分と関連付けられており、第１、第２および第３の部分はいずれも互いに重ならない。同様に、第１、第２および第３の表示素子は、第２の基板のそれぞれの部分に関連付けられている。
【００２８】
第１の基板の組成は全ての表示素子にわたって同じであり、第２の基板は全ての表示素子にわたって同じ組成を有しており、第１および第２の基板は第１の波長の光に対して実質的に透過性であり、少なくともその結果、光源からの光は第１のフォトルミネセンス材料へ伝達され、光源からの光は第２のフォトルミネセンス材料に伝達されることができ、並びに実際に、適切な実施例では光源からの光は第３の表示素子に対して観察側に伝達され得る。例えば、第１および／または第２の基板は、それらが受光する入力光の９０％超に対して透過性であってもよい。
【００２９】
第１の基板はさらに、第２のフォトルミネセンス材料によって出力された光に対して実質的に透過性であり得、その結果、光が第２の表示素子に対する観察側に到達することができる。
【００３０】
実質的に透過性であることにより、基板は、基板へのいくらかの光入力を吸収してもよいが、表示装置の性能が危険にさらされる程度まで基板によって出力される光の量に悪影響を及ぼさないように、十分に僅かな量の光を吸収し得る。
【００３１】
図２で示したものなどのいくつかの実施例では、複数の光バルブ２６があり、例えば各表示素子は１つのそのような光バルブを備える。例えば、第１の表示素子２Ａは第１の光バルブ２６Ａを含み、第２の表示素子２Ｂは第２の光バルブ２６Ｂを含み、第３の表示素子２Ｃは第３の光バルブ２６Ｃを含む。図２の実施例では、第１の基板は第２のフォトルミネセンス材料と第２の光バルブとの間に部分的に配置されている。
【００３２】
当業者が理解するように、光バルブは、光バルブの入力側と光バルブの出力側との間で伝達される光の量を制御するために使用される構造と考えてもよい。そのような光バルブは、例えば、光バルブを通して偏光の透過を増大または低減させるための制御可能な配向を有する液晶材料を含み得る。液晶を用いた複数の光バルブの実施例は以下で説明する。他の実施例では、異なる種類の光バルブ、例えば微小機械システム（ＭＥＭｓ）ベースの光バルブ、または当業者が認識している他の種類の光バルブを使用してもよいことが理解されたい。
【００３３】
図２で示したものなどのいくつかの実施例では、表示装置は、例えば表示素子あたりに１つのカラーフィルタを有する複数のカラーフィルタ２８を含む。各カラーフィルタは、入力光を吸収し、カラーフィルタリング材料を通して所望の波長または複数の波長でその光の一部を透過させ、次いでカラーフィルタリング材料から光のその部分を出力する、適切なカラーフィルタリング材料を含むことができる。透過されずに出力されない入力光は代わりに吸収され、従ってカラーフィルタリング材料によって遮断される。従って、適切なカラーフィルタリング材料を用いて、異なる所望の波長または複数の波長の光が適切な表示素子によって出力され得る。図２の実施例では、第１の表示素子は第１のカラーフィルタ２８Ａを含み、第２の表示素子は第２のカラーフィルタ２８Ｂを含み、第３の表示素子は第３のカラーフィルタ２８Ｃを含む。カラーフィルタは、対応する表示素子のフォトルミネセンス材料によって吸収されなかった、光源によって出力された任意の波長の光を除去するために、および／または表示素子によって出力されることが望まれる光の波長と比較して、フォトルミネセンス材料によって出力される光の波長を調整、例えば制限するために使用され得る。
【００３４】
図２の実施例では、同じ光源が全ての表示素子に対して使用される。従って、第１の波長の光が光源によって出力される。第１の表示素子２Ａに対して、この光は、第２の基板２０を通して、透過性材料２２を通して、第１の基板１０を通して透過され、第１のフォトルミネセンス材料１６によって受光される。第１のフォトルミネセンス材料１６は、第１の波長の光の受光に応答して、第２の波長の光を出力する。この光は次いで、第１の光バルブ２６Ａを通して、次いで第１のカラーフィルタ２８Ａを通して透過されて観察側８で出力される。
【００３５】
第２の表示素子２Ｂに対して、光源から出力された光は第２の基板２０を通して透過され、第２のフォトルミネセンス材料１８によって受光される。第２のルミネセンス材料１８は、第１の波長の光の受光に応答して第３の波長の光を出力する。この光は、第１の基板１０を通して、透過性材料２４を通して、第２の光バルブ２６Ｂを通して、次いで第２のカラーフィルタ２８Ｂを通して透過されて観察側８に出力される。
【００３６】
第３の表示素子２Ｃに対して、光源によって出力された光は、第２の基板２０を通して、透過性材料２５を通して、第１の基板１０を通して、さらに透過性材料２５を通して、第３の光バルブ２６Ｃを通して、次いで第３のカラーフィルタを通して透過されて観察側８に出力される。
【００３７】
説明した実施例では、第１の表示素子は緑色光を出力し、第２の表示素子は赤色光を出力し、第３の表示素子は青色光を出力する。カラーフィルタ２８は、例えば、第１のカラーフィルタが緑色カラーフィルタであり、第２のカラーフィルタが赤色カラーフィルタであり、第３のカラーフィルタが青色カラーフィルタであるように適切に構成される。
【００３８】
さらに、光源は、適切な第１の波長を有する光を出力するように構成されており、第１および第２のフォトルミネセンス材料は、適切な第２および第３の波長を出力するように選択される。
【００３９】
例えば、第１の光源は、４４０から４７５ナノメートル（ｎｍ）の範囲の波長の光、例えば青色光を出力するように構成されている。従って、第１の波長は、この範囲内の任意の波長であってもよい。第１のフォトルミネセンス材料は、例えば、第１の波長の光の受光に応答して、５００から５６０ナノメートル（ｎｍ）の範囲の光、例えば緑色光を出力し、従って第２の波長は５００から５６０ｎｍの範囲の任意の波長であってもよい。第２のフォトルミネセンス材料は、例えば、第１の波長の光の受光に応答して、６１５から６４０ナノメートル（ｎｍ）の範囲の光、例えば赤色光を出力し、従って、第３の波長は６１５から６４０ｎｍの範囲の任意の波長であってもよい。他の実施例では、および使用される特定のフォトルミネセンス材料に応じて、第２の波長の光は、代わりに赤色光であってもよく、第３の波長の光は代わりに緑色光であってもよい。
【００４０】
異なるフォトルミネセンス材料によって出力される光の輝度の相違は、異なる厚さのフォトルミネセンス材料を使用することによって補償することができる。例えば、フォトルミネセンス材料のより薄い層を、異なるフォトルミネセンス材料よりも大きな輝度の光を放出するフォトルミネセンス材料に対して使用してもよい。さらに、または代替として、光バルブが使用される場合、対応するフォトルミネセンス材料からの入力光の輝度が異なる場合において、同じ輝度の光を出力するために、異なる光透過率が異なる光バルブに対して選択されてもよい。
【００４１】
図３を参照すると、図２を用いて説明した実施例の第１の基板１０が、その上に配置された第１のフォトルミネセンス材料１６のパターンとともに平面図で示されている。パターンは、第１のフォトルミネセンス材料に関連付けられた表示素子の各々に対して配置された第１のフォトルミネセンス材料の部分、例えば層または小滴を含む。従って、示したように、パターンは、隣接する領域間の光の色を変更し得るフォトルミネセンス材料およびいかなる他の材料（カラーフィルタなど）がない状態で、第１のフォトルミネセンス材料のバンドまたはストライプなどの領域を含み得る。
【００４２】
図４を参照すると、図２の実施例の第２の基板２０が、その上に配置された第２のフォトルミネセンス材料１８のパターンとともに平面図で示されている。第１のフォトルミネセンス材料と同様に、第２のフォトルミネセンス材料のパターンは、第２のフォトルミネセンス材料に関連付けられた表示素子の各々に対して配置された第２のフォトルミネセンス材料の一部を含む。
【００４３】
第２の基板上の第２のフォトルミネセンス材料の上に第１の基板があるように第１および第２の基板が積層されるとき、基板は互いに、第１のフォトルミネセンス材料および第２のフォトルミネセンス材料が例えば実質的に互いに重ならないように、例えば横方向に整列される。
【００４４】
これらの実施例の第１および第２のフォトルミネセンス材料のパターンは、積層された基板で、第３の表示素子およびフォトルミネセンス材料が欠如したさらなる表示素子と対応する領域があるようにされている。
【００４５】
さらなる実施例が、図５を参照して説明される。既に説明されたものと同様の特徴は、１００だけ増分された同じ参照番号で標記され、対応する説明が適用され、簡潔さのためにここでは繰り返されない。
【００４６】
図５による実施例では、表示装置は、第１のフォトルミネセンス材料１１６と観察側１０８との間に第３の基板３０を含む。第３のフォトルミネセンス材料３２は、第３の基板上に、例えば観察側１０８により近い第３の基板の面と接触して配置される。第３の基板の反対面は、これらの実施例では、第１のフォトルミネセンス材料と接触している。
【００４７】
第３の基板は、第１および／または第２の基板に類似しており、全ての表示素子にわたって延在していてもよい。従って、第３の基板は、第１、第２および第３の波長の光に対して透過性であり得る。
【００４８】
第３の表示素子１０２Ｃに対して、フォトルミネセンス材料が実質的に欠如している代わりに、例えば、第１のフォトルミネセンス材料が第１の表示素子と関連付けられるのと同様の方法で、第３のフォトルミネセンス材料は第３の表示素子と関連付けられる。第３のフォトルミネセンス材料は、光源からの第１の波長の光の受光に応答して、第４の波長の光を出力するように構成されている。第４の波長のこの光は次いで、例えば第３の光バルブ１２６Ｃおよび第３のカラーフィルタ１２８Ｃを介して、観察側へ透過されてもよい。第３のフォトルミネセンス材料は、第１の波長の光の受光に応答して、４４０から４７５ナノメートルの範囲の光を出力し得る。従って、第４の波長は、４４０から４７５ｎｍの範囲内の任意の波長であり得る。そのような実施例では、第１の波長の光は、代わりに紫外線（ＵＶ）範囲、例えば１０から４００ナノメートル（ｎｍ）の範囲、例えば３１５から４００ｎｍの範囲にあってもよい。
【００４９】
図５を用いて説明したそのような実施例では、第３の基板は、図３および図４で説明した第１および第２のフォトルミネセンス材料に対して示したような類似のパターンで、第３のフォトルミネセンス材料の部分でパターン化されてもよい。このように、表示装置を製造するときに、第１、第２および第３の基板は、図１で示した表示素子のパターンを与えるように積層されおよび互いに整列され得る。
【００５０】
緑色、赤色、および青色の光をそれぞれ出力する第１、第２、および第３の表示素子を用いた実施例が挙げられているが、さらなる実施例では、任意の表示素子は異なる色の光、例えば黄色、マゼンタ、シアン、赤色、緑色または青色を出力するように構成されてもよいことが想定される。さらに、画素あたり３つより多いかまたは少ない表示素子があってもよい。具体的な設計は、例えば、複数の表示素子に対して、各々がその上にパターン化された異なるフォトルミネセンス材料を有する別々の基板を製造し、次いで適切な位置合わせで基板を積層することによって簡単に製造することができる。これは、異なるフォトルミネセンス材料のパターンがその上に堆積される単一の基板を設計および製造することよりも簡単なアプローチを与える。
【００５１】
さらなる実施例が図６によって想定される。既に説明されたものと類似の特徴は、２００だけ増分された同じ参照番号で標記され、対応する説明が適用され、簡潔のためにここでは繰り返されない。
【００５２】
そのような実施例では、表示装置は複数の光源、例えば第１の表示素子と関連付けられた第１の光源３４、第２の表示素子と関連付けられた第２の光源３６、およびいくつかの実施例では第３の表示素子と関連付けられた第３の光源３８を含む。表示素子と関連付けられることにより、光源は、大部分、例えば５０％以上の光を観察側に向かって、および実質的にその表示素子の横方向範囲内で放射するように構成される。従って、光源によって出力されたいくらかの光は表示素子の横方向範囲の外側を通過してもよいが、これは装置の正しい動作に対して十分に無視できるものである。
【００５３】
各光源は、前述の光源６と同様に、同じ波長または同じ波長範囲内の光を出力するように構成されてもよい。他の実施例では、少なくとも２つの光源は、例えば関連する表示素子の特定のフォトルミネセンス材料に従って、例えば異なる範囲で、互いに異なる波長の光を出力するように構成されてもよい。異なる光源出力のこの選択は、表示装置に対して所望の色域を得るために使用されてもよい。例えば、１つの表示素子および１つのフォトルミネセンス材料に対して、光源は青色光を出力してもよいが、他の表示素子および他のフォトルミネセンス材料に対して、光源は、例えば紫外線などの第１の波長とは異なる波長の光を出力してもよい。
【００５４】
各光源は、各光源に印加される電圧の大きさを制御し、ひいては各光源によって出力される光の輝度を制御するために適切な回路で独立して制御可能であり得る。そのような光源は、有機発光ダイオード（ＯＬＥＤ）またはいわゆるマイクロＬＥＤを含み得る。これらは基板４０上に取付けられてもよい。そのような実施例における光源によって出力された光の輝度は、２つ以上の表示素子に対する１つの光源よりも、個々の表示素子ごとに制御することができるので、各表示素子の光の色および輝度は、光源および任意の関連するフォトルミネセンス材料を使用して制御することができるので、光源から観察側へ透過される光の量を制御するための任意の光バルブは必要でなくてもよい。従って、図６に示すように、図２および図５の実施例と比較して、複数の光バルブがない。さらに、図２に示されているものなどの任意のカラーフィルタも必要でなくてもよい。
【００５５】
図７は、実施例による、液晶材料を使用する複数の光バルブの断面部を概略的に示している。複数の光バルブは、図２の表示装置の第１、第２、および第３の表示素子２Ａ、２Ｂ、２Ｃで使用するために示されているが、複数の光バルブが表示素子のアレイの各表示素子に対して１つの光バルブを有してもよいことが理解されるべきである。図の下から上に見て、偏光子４２、基板４４、制御回路４６、複数の電極４８（例えば、光バルブあたりに１つの電極を有する酸化インジウムスズ（ＩＴＯ）のパターン化フィルム）、配向膜５０、液晶材料５２、配向膜５４、複数の電極５６（例えば光バルブあたりに１つの電極を有する別のパターン化ＩＴＯ膜）、基板５８、および偏光子６０がある。制御回路を使用して、電圧を電極４８と電極５６との間に印加することができ、一対の電極は１つの光バルブに対応しており、液晶の配向は、その光バルブを通して透過される光の量を決定するように制御され得る。当業者は、液晶を使用するそのような光バルブのさらなる詳細を容易に理解することができ、簡潔性のために、これらはここでは詳述されない。
【００５６】
図２のような表示装置は、第１のパターンに従って、第１の基板上で第１のフォトルミネセンス材料を堆積するステップと、第２のパターンに従って、第２の基板上で第２のフォトルミネセンス材料を堆積するステップと、次いで互いに整列された第１のパターンおよび第２のパターンで、第１の基板を第２のフォトルミネセンス材料に取り付けるステップとを含む方法を使用して製造することができる。フォトルミネセンス材料が存在しない基板上に透過性材料が使用される場合、フォトルミネセンス材料を堆積された後で、および基板が積層される前に、透過性材料が適切な基板上に堆積されてもよい。
【００５７】
フォトルミネセンス材料および透過性材料を基板上に堆積するステップは、従来の技術、例えば当業者にはよく知られているフォトリソグラフィを使用して実行されてもよい。フォトルミネセンス材料が量子ドット材料を含む場合、以下の技術：電子ビームリソグラフィ、パルスレーザーアブレーション技術、インクジェット印刷、パルススプレー技術、または転写印刷技術、のいずれかを使用することができ、これらは当業者によく知られている。
【００５８】
上述した基板のいずれかは、例えば、ポリエチレンテレフタレート（ＰＥＴ）またはポリエチレンナフタレート（ＰＥＮ）を含むか、またはそれから形成され得る。
【００５９】
本明細書で説明した実施例で使用することができるフォトルミネセンス材料の例は、蛍光体型材料、例えばＹＡＧ：Ｃｅ（例えばＹ３Ａｌ５Ｏ１２：Ｃｅ）、ＬＳＮ（例えばＬａ３Ｓｉ６Ｎｎ：Ｃｅ）、ＣＡＳＮ（例えばＣａＡｌＳｉＮ３：Ｅｕ）、ＳＣＡＳＮ（例えばＳｒＡｌＳｉＮ３：Ｅｕ）、およびＡｌＳｉＯＮ：Ｅｕを含む。
【００６０】
本明細書で説明した実施例で使用することができるフォトルミネセンス材料の他の例は、いわゆる量子ドット型材料、ナノプレートレット、ナノワイヤまたはナノロッドを含む。量子ドット型材料の例は、ＣｄＳｅ、ＺｎＳ、ＣｄＴｅ、ＣｄＳｅ／ＺｎＳのコア／シェル、ＩｎＺｎＰ／ＺｎＳのコア／シェル、ＩｎＰ／ＺｎＳのコア／シェル、およびＣｄＺｎＳ／ＺｎＳのコア／シェル型量子ドットを含む。
【００６１】
前段落において、Ｙはイットリウム、Ａｌはアルミニウム、Ｏは酸素、Ｃｅはセリウム、Ｌａはランタン、Ｓｉはケイ素、Ｎは窒素、Ｃａはカルシウム、Ｓｒはストロンチウム、Ｅｕはユーロピウム、Ｃｄはカドミウム、Ｓｅはセレン、Ｚｎは亜鉛、Ｓは硫黄、Ｔｅはテルル、Ｉｎはインジウム、Ｐはリンである。当業者に理解されるように、ｎは所与の化学式中に存在する原子数を示す。
【００６２】
（量子ドット材料を封入するために）量子ドット材料が使用されるべき領域において使用されもする透過材料の例は、例えば、当業者によく知られている適切なシリコーン封入材料を含む。他の実施例では、量子ドット材料は、例えば、ポリ（メチルメタクリレート）（ＰＭＭＡ）またはＳＵ−８ネガ型エポキシフォトレジスト材料に封入することができ、そのような例において、コロイド状量子ドットの表面はシリカで被覆されてもよい。
【００６３】
任意のそのような透過性材料は、一方の基板の下面をフォトルミネセンス材料の上面に、例えば第１の基板の下面を第２のフォトルミネセンス材料の上面に取り付けるために使用され得る。
【００６４】
１つのフォトルミネセンス材料のパターンを異なるフォトルミネセンス材料のパターンと整列させるステップにおいて、既知の整列技術および装置を使用することができる。例えば、フォトルミネセンス材料の各パターンおよび／またはそれが堆積された基板は、正確に配置され、次いで一方の基板を他方の基板に貼り付けるときに互いに対して整列される１つ以上の整列マークを含み得る。
【００６５】
本明細書に記載または図示されていない説明した表示装置のさらなる部分があってもよいことを理解されたい。例えば、複数の光バルブ上に、または複数の光源がある場合は、その上に堆積されたフォトルミネセンス材料を有する基板のスタックの直接上に配置されるタッチ検出装置があってもよい。当業者には理解されるように、そのようなタッチ検出装置は、使用者がタッチによって表示装置と対話することができるように表示素子と整列されてもよい。他の構造、例えば１つまたは複数の保護層、構造支持層または構造体、および拡散層などの光学層があってもよい。そのような構造の選択は、問題とする特定の表示装置の設計に依存しており、当業者にはよく知られているので、詳細はここでは詳述しない。
【００６６】
１つ以上の光源の電力供給および動作を制御するための適切な制御回路があり得る。ＯＬＥＤまたはマイクロＬＥＤなどの複数の光源がある場合、いわゆるアクティブマトリックス（ＡＭ）回路が光源を制御するために使用されてもよい。当業者には理解されるように、そのような回路は、いつ、どの程度の大きさの電圧を各光源に印加するかを制御するために薄膜トランジスタ（ＴＦＴ）を使用することができる。同様に、光バルブが使用される場合、アクティブマトリックス回路などの適切な回路は、各光バルブの動作、例えば光に対する光バルブの透過率を決定し制御するために印加される電圧の大きさを制御するために使用されてもよい。例えば、第１のフォトルミネセンス材料により出力された光に対する第１の光バルブの透過率、および第２のフォトルミネセンス材料により出力された光に対する第２の光バルブの透過率を制御することができる。各表示素子は、印加された電圧の大きさを維持するために、それと関連付けられた１つ以上のストレージコンデンサを有していてもよい。
【００６７】
図８は、先に説明した実施例による表示装置を含む例示のシステム、例えば装置６２のシステム図を概略的に示している。本装置は、例えばテレビもしくはモニタ、または民生機器などのディスプレイスクリーンを必要とするあらゆる機械に設置するためのディスプレイスクリーンである。代わりに、本装置は、いわゆる電子書籍リーダーなどの電子リーダーデバイス、タブレットコンピューティングデバイス、ラップトップコンピューティングデバイス、携帯通信デバイス、時計、または衛星ナビゲーションデバイスなどのより携帯性が高いデバイス、例えば、モバイルデバイスであってもよい。
【００６８】
システム図は、装置６２の基本的なハードウェアアーキテクチャの一例を示している。装置６２は例えば、（表示装置、例えば先に説明した複数の光バルブおよび／または１つ以上の光源を制御するための回路であり得るか、または含む）表示装置制御サブシステム６６、通信サブシステム６８、ユーザー入力サブシステム７０、電源サブシステム７２およびシステムストレージ７４に接続されており、従ってそれらとデータ通信する少なくとも１つのプロセッサを含む。表示装置制御サブシステムは表示装置の回路に接続されており、従ってそれと電気的に通信することができる。少なくとも１つのプロセッサ６４は、例えば、本明細書で説明した機能を実行するように設計された、汎用プロセッサ、マイクロプロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタロジック、ディスクリートハードウェアコンポーネント、またはそれらの任意の適切な組み合わせである。プロセッサはまた、コンピューティングデバイスの組み合わせ、例えばＤＳＰと、１つのマイクロプロセッサ、複数のマイクロプロセッサ、ＤＳＰコアと連携した１つ以上のマイクロプロセッサとの組み合わせ、または他の任意のそのような構成として構成されてもよい。プロセッサは、１つまたは複数のバスを介して、１つ以上のメモリ、例えばシステムストレージ７４から情報を読み出すか、または情報を書き込むように結合されていてもよい。少なくとも１つのプロセッサは、追加的にまたは代替的に、プロセッサレジスタなどのメモリを含み得る。
【００６９】
表示装置制御サブシステム６６は例えば、表示素子のいずれかに電圧を印加して、様々な表示素子の例えば光源および／または光バルブをアドレスするように使用するためのドライバ構成要素を含む。実施例では、表示素子はアクティブマトリクス構成に従って構成され、表示装置制御サブシステムは表示素子を制御するために薄膜トランジスタ（ＴＦＴ）などのスイッチング素子を制御するように構成されている。
【００７０】
通信サブシステム６８は例えば、装置に対して、データネットワーク、例えばインターネットなどのコンピュータネットワーク、ローカルエリアネットワーク、ワイドエリアネットワーク、電気通信ネットワーク、有線ネットワーク、ワイヤレスネットワークまたはいくつか他の種類のネットワークを介して、例えばコンピューティングデバイスと通信するように構成されている。通信サブシステム６８はさらに、例えば、ユニバーサルシリアルバス（ＵＳＢ）接続、Ｂｌｕｅｔｏｏｔｈ（登録商標）もしくは赤外線接続、または装置を上で説明したもののいずれかのようなデータネットワークに接続するためのデータネットワークインターフェースを含み得る。後述するコンテンツデータは、通信サブシステムを介して装置に転送され得る。
【００７１】
ユーザー入力サブシステム７０は例えば、装置のユーザーから入力を受け取るための入力デバイスを含むことができる。例示的な入力装置は、キーボード、ローラーボール、ボタン、キー、スイッチ、ポインティングデバイス、マウス、ジョイスティック、リモートコントロール、赤外線検出器、音声認識システム、バーコードリーダー、スキャナ、ビデオカメラ（場合により例えば、手のジェスチャまたは顔のジェスチャを検出するためにビデオ処理ソフトウェアに結合される）、モーション検出器、マイクロフォン（場合により例えば、音声コマンドを検出するためにオーディオ処理ソフトウェアに結合される）、またはユーザーからの情報をデバイスに送信することができる他のデバイスが挙げられるが、これらに限定されない。入力デバイスは、表示装置に関連付けられたタッチスクリーンの形態をとることもでき、その場合、ユーザーはタッチによって表示装置上のプロンプトに応答する。ユーザーは、キーボードまたはタッチスクリーンなどの入力デバイスを介してテキスト情報を入力することができる。
【００７２】
装置はまた、例えば装置のユーザーに出力を提供するための出力デバイスを含むユーザー出力サブシステム（図示せず）を含み得る。例としては、印刷デバイス、例えば１つ以上のスピーカー含む音声出力デバイス、ヘッドホン、イヤホン、アラーム、またはハプティック出力デバイスを含むが、これらに限定されない。出力デバイスは、イヤホンなどの説明した他の出力デバイスのうちの１つに接続するためのコネクタポートであってもよい。
【００７３】
電力サブシステム７２は例えば、装置によって消費される電力を転送しおよび制御するのに使用するための電力回路８２を含む。電力は、電力回路を介して、商用電源によって、またはバッテリー８４から供給することができる。電力回路はさらに、商用電源からバッテリーを充電するために使用されてもよい。
【００７４】
システムストレージ７４は、少なくとも１つのメモリ、例えば揮発性メモリ８６および不揮発性メモリ８４のうちの少なくとも１つを含み、かつ非一時的コンピュータ可読記憶媒体を含むことができる。揮発性メモリは、例えば、ランダムアクセスメモリ（ＲＡＭ）であってもよい。不揮発性（ＮＶ）メモリは、例えば、フラッシュメモリなどのソリッドステートドライブ（ＳＳＤ）、またリードオンリーメモリ（ＲＯＭ）であってもよい。さらなるストレージ技術、例えば、磁気、光学またはテープ媒体、コンパクトディスク（ＣＤ）、デジタルバーサタイルディスク（ＤＶＤ）、ブルーレイまたは他のデータ記憶媒体を使用することができる。揮発性および／または不揮発性メモリは、取り外し可能または取り外し不可能であってもよい。
【００７５】
いずれのメモリも、装置、例えば装置の構成要素またはサブシステムを制御するためのデータを格納し得る。そのようなデータは、例えばコンピュータ可読および／または実行可能命令、例えばコンピュータプログラム命令の形態であり得る。従って、少なくとも１つのメモリおよびコンピュータプログラム命令は、少なくとも１つのプロセッサとともに、表示素子によって提供される表示効果を制御するように構成され得る。例えば、光源によって出力される第１の波長の光の量、またはそれぞれの異なる光源によって出力される光の量は、制御可能であり得る。さらに、表示装置が複数の光バルブを含む場合、第１のフォトルミネセンス材料によって出力される光に対する第１の光バルブの透過率、および第２のフォトルミネセンス材料によって出力される光に対する第２の光バルブの透過率が制御可能である。
【００７６】
図８の実施例では、揮発性メモリ８６は例えば、表示素子によって提供されるべき表示効果を示す表示装置データ８８を記憶する。少なくとも１つのプロセッサ６４は、表示装置データに基づいて、表示装置制御サブシステム６６にデータを送信することができ、これは次いで、所望の画像を表示装置から提供するために電圧を表示素子に印加するための信号を表示装置に出力する。
【００７７】
不揮発性メモリ８４は例えば、プログラムデータ９０および／またはコンテンツデータ９２を記憶する。プログラムデータ９０は例えば、装置もしくは構成要素に対するアプリケーションもしくはプログラムモジュール、または装置のサブシステムを動作させるための、特定の機能またはタスクを実行するための、および／または装置の構成要素またはサブシステムを制御するための、コンピュータ実行可能命令を、例えばコンピュータソフトウェアの形式で表すデータである。例えば、アプリケーションまたはプログラムモジュールのデータは、ルーチン、プログラム、オブジェクト、コンポーネント、データ構造またはその類似のいずれかを含む。コンテンツデータ９２は例えば、ユーザーに対するコンテンツを表すデータであり、そのようなコンテンツは、任意の形態の媒体、例えばテキスト、少なくとも１つの画像またはその一部、少なくとも１つのビデオまたはその一部、少なくとも１つの音または音楽またはその一部を表すことができる。画像またはその一部を表すデータは、例えば、表示装置の少なくとも１つの表示素子によって提供されるべき表示効果を表す。コンテンツデータは、コンテンツ、例えば本、定期刊行物、新聞、映画、ビデオ、音楽、またはポッドキャストのいずれかを表すデータを含むことができ、これらの各々は、例えば１冊の本または１本の映画を表すデータの集まりによって表すことができる。そのようなデータの集まりは、１つの種類のコンテンツデータを含むことができるが、代わりに、異なる種類のコンテンツデータの混合物を含むことができ、例えば映画は、少なくとも画像データおよび音声データを含むデータによって表されてもよい。
【００７８】
上記の実施例は、例示として理解されるべきである。さらなる実施例が想定される。任意の１つの実施例に関して説明された任意の特徴は、単独で、または説明した他の特徴と組み合わせて使用することができ、および任意の他の実施例または任意の他の実施例の任意の組み合わせの１つまたは複数の特徴と組み合わせて使用することができる。さらに、上記で説明されていない等価物および変形形態も添付の特許請求の範囲から逸脱することなく使用することができる。
【符号の説明】
【００７９】
１  アレイ
２  表示素子
２Ａ  第１の表示素子
２Ｂ  第２の表示素子
２Ｃ  第３の表示素子
６  光源
８  観察側
１０  第１の基板
１２  第１の面
１４  第２の面
１６  第１のフォトルミネセンス材料
１８  第２のフォトルミネセンス材料
２０  第２の基板
２２  透過性材料
２４  透過性材料
２５  透過性材料
２６  複数の光バルブ
２６Ａ  第１の光バルブ
２６Ｂ  第２の光バルブ
２６Ｃ  第３の光バルブ
２８  カラーフィルタ
２８Ａ  第１のカラーフィルタ
２８Ｂ  第２のカラーフィルタ
２８Ｃ  第３のカラーフィルタ
３０  第３の基板
３２  第３のフォトルミネセンス材料
３４  第１の光源
３６  第２の光源
３８  第３の光源
４０  基板
４２  偏光子
４４  基板
４６  制御回路
４８  電極
５０  配向膜
５２  液晶材料
５４  配向膜
５６  電極
５８  基板
６０  偏光板
６２  装置
６４  プロセッサ
６６  表示装置制御サブシステム
６８  通信サブシステム
７０  ユーザー入力サブシステム
７２  電源サブシステム
７４  システムストレージ
８２  電力回路
８４  バッテリー、不揮発性メモリ
８６  揮発性メモリ
８８  表示装置データ
９０  プログラムデータ
９２  コンテンツデータ
１０８  観察側
【図１】
2019148795.tif 000003
【図２】
2019148795.tif 000004
【図３】
2019148795.tif 000005
【図４】
2019148795.tif 000006
【図５】
2019148795.tif 000007
【図６】
2019148795.tif 000008
【図７】
2019148795.tif 000009
【図８】
2019148795.tif 000010
【外国語明細書】
2019148795000001.pdf